(57)【要約】      （修正有）【課題】通常のゴルフクラブを加工することなく、容易に装着することができるとともに、スライスの発生を効率よく矯正することができるゴルフスイング矯正具を提供する。【解決手段】ゴルフクラブのフェイス面に装着されるゴルフスイング矯正具であって、該ゴルフスイング矯正具１は、空気導入孔３と、空気導入孔３から導入された空気にて音を発生する本体部５とを備える音響発生具２と、該音響発生具２をゴルフクラブ２０のフェイス面２１に着脱自在に装着する装着具１０とで構成されている。また前記空気導入孔３は、フェイス面２１に鉛直状に形成された長尺部４を備える。また、前記長尺部４に切込部を形成した。【選択図】図１
0003206750.tif 000002
【実用新案登録請求の範囲】
【請求項１】
ゴルフクラブのフェイス面に装着されるゴルフスイング矯正具であって、該ゴルフスイング矯正具は、空気導入孔と、空気導入孔から導入された空気にて音を発生する本体部とを備える音響発生具と、該音響発生具をゴルフクラブのフェイス面に着脱自在に装着する装着具とで構成されていることを特徴とするゴルフスイング矯正具。
【請求項２】
前記空気導入孔は、フェイス面に鉛直状に形成された長尺部を備える請求項１記載のゴルフスイング矯正具。
【請求項３】
前記長尺部は、練習者側に形成されている請求項２記載のゴルフスイング矯正具。
【請求項４】
前記長尺部に切込部を形成した請求項２または３記載のゴルフスイング矯正具。
【請求項５】
前記装着具は、音響発生具を保持する保持部と、該保持部をクラブヘッドに装着する装着紐とを備える請求項１記載のゴルフスイング矯正具。
【考案の詳細な説明】
【技術分野】
【０００１】  本考案は、ゴルフスイングの際、スライスの発生を軽減することができるゴルフスイング矯正具に関する。
【背景技術】
【０００２】  ゴルフにおけるスコアーアップは、先ず、ボールを真っ直ぐ前方に飛ばすことがポイントとなる。そのためゴルフの練習時において、ボールがクラブのスイートスポットに９０°に当たるようにスイングを心掛ける。【０００３】  また、スイング時にフェイス面（打球面）の角度に応じて異なる音を発生するようにして、ゴルファーがフェイス面の角度を知ってスイングを矯正できるようにするゴルフクラブがある（例えば特許文献１参照）。
上掲特許文献１のゴルフクラブは、ゴルフクラブヘッドのフェイス面からバックフェイス面あるいは側面へと貫通する少なくとも一つ以上の通気孔を備え、筒内に発音体を設けてなる発音手段を上記通気孔に取り付け、ゴルフクラブのスイング時に音を発生させるようにしていることを特徴とする。
【先行技術文献】
【特許文献】
【０００４】
【特許文献１】特開２００１−１７８８６０号公報（特許請求の範囲等）
【考案の概要】
【考案が解決しようとする課題】  しかしながら上掲特許文献１のゴルフクラブは、クラブヘッド自体に孔を開けるという大掛かりな作業が必要となる。また、通気孔を開けたクラブでは、グリーン上でのプレーはできないという問題が生じた。さらに、通気孔を開けたクラブは軽量となるため、通常のクラブでのスイングとは異なり、効果的な練習を望むことは困難であった。【０００５】  そこで本考案は上記の点に鑑み、通常のゴルフクラブを加工することなく、容易に装着することができるとともに、スライスの発生を効率よく矯正することができるゴルフスイング矯正具を提供することにある。
【解決を解決するための手段】
【０００６】  上記課題を解決するために本考案のゴルフスイング矯正具は、ゴルフクラブのフェイス面に装着されるゴルフスイング矯正具であって、該ゴルフスイング矯正具は、空気導入孔と、空気導入孔から導入された空気にて音を発生する本体部とを備える音響発生具と、該音響発生具をゴルフクラブのフェイス面に着脱自在に装着する装着具とで構成されていることを特徴とする。
【０００７】  また前記空気導入孔は、フェイス面に鉛直状に形成された長尺部を備える。
【０００８】  また前記長尺部は、練習者側に形成されている。
【０００９】  また、前記長尺部に切込部を形成した。
【００１０】  また前記装着具は、音響発生具を保持する保持部と、該保持部をクラブヘッドに装着する装着紐とを備える。
【考案の効果】
【００１１】  本考案のゴルフスイング矯正具は、空気導入孔と、空気導入孔から導入された空気にて音を発生する本体部とを備える音響発生具と、該音響発生具をゴルフクラブのフェイス面に着脱自在に装着する装着具とで構成されていることにより、クラブに特殊な加工施すことなく、容易にスイングの矯正を行うことができる。
【００１２】  また前記空気導入孔は、フェイス面に鉛直状に形成された長尺部を備えることにより、インサイドアウトのスイングができた時のみに音響が発生する。そのため、スライス発生のスイングを効率よく矯正することができる。
【図面の簡単な説明】
【００１３】
【図１】本考案のゴルフスイング矯正具の使用状態の全体斜視図である。
【図２】前記ゴルフスイング矯正具の使用状態の平面図である。
【図３】スライス発生状態のヘッドの軌道と音響発生具への空気の流れを示す。
【図４】強いスライス発生状態のヘッドの軌道と音響発生具への空気の流れを示す。
【図５】理想的なスイングのヘッドの軌道と音響発生具への空気の流れを示す。
【図６】音響発生具の長尺部を示す。
【図７】長尺部の先方を切り離した状態を示す。
【図８】さらに長尺部の先方を切り離した状態を示す。
【考案を実施するための形態】
【００１４】  本考案のゴルフスイング矯正具は、通常のゴルフクラブを加工することなく、容易に装着することができるとともに、スライスの発生を効率よく矯正することができることを特徴とする。
以下、本考案のゴルフスイング矯正具おける実施の形態を図面に基づいて説明する。
【００１５】  図示するゴルフスイング矯正具１は、ゴルフクラブのヘッド２０のフェイス面２１に装着されるもので、音響発生具２と、該音響発生具２をヘッド２０に着脱自在に装着する装着具１０とで構成されている。
【００１６】  音響発生具２は、空気導入孔３から導入された空気の流れを利用し、外部に音を発生する本体部５を備えるものであり、利便性を考慮して市販の笛（ホイッスル）が好適に使用される。
【００１７】  また前記音響発生具２は、装着具１０にてヘッド２０のフェイス面２１に装着される。前記装着具１０は、音響発生具２の本体部５を保持する保持部１１と、該保持部１１をクラブヘッドに装着する装着紐１２とを備える。そのことにより、音響発生具２のヘッド２０への着脱が実現できる。また、前記装着紐１２を弾性伸縮する弾性紐で形成することで、着脱をさらに容易に行うことができる。
【００１８】  また前記音響発生具２の空気導入孔３には、フェイス面２１に対して鉛直状に形成された長尺部４が形成されている。特に、長尺部４は、練習者側（シャフト６設置側）に形成されている。
【００１９】  次に、本考案のゴルフスイング矯正具１の使用方法及び作用効果を、図３乃至図５に基づいて説明する。
【００２０】  図３は、バックスイングとフォロースイングのヘッド２０の軌道が、アウトサイドイン状態に円弧を描いて移行する状態を示す。このスイングにおいては、インパクトの瞬間、ボールがスライス回転した状態で飛行する。そのため、図示するスイングでは、音響発生具２の空気導入孔３へ向かう空気Ａは長尺部４により遮られ、本体部５から音声を発生させることはできない。
【００２１】  図４は、インパクトの瞬間、既に円弧の中心を過ぎた位置でフェイス面２１にボールが当たった状態を示す。この場合、ボールは強くスライス回転した状態で飛行する。そのため、図示するスイングでは、音響発生具２の空気導入孔３へ向かう空気Ａは長尺部４により完全に遮られ、本体部５から音声を発生させることはできない。
【００２２】  図５は、クラブのヘッド２０の軌道が、インパクトの瞬間以降、やや外側へと向かって移行したスイングを示す。このスイングにおいては、ボールにスライス回転が掛からず、理想的なスイングとなる。
【００２３】  このスイングにおいては、空気導入孔３へ向かう空気Ａは長尺部４に遮られず、完全に本体部５へ導入され、本体部５から音声Ｂが外部に発せられる。そのため、理想的なスイングをした際、音響発生具２からの音声が確認できるため、スライスをするスイングを矯正することができる。
【００２４】  また他の好適例として、図６に示すように、前記長尺部４に切込部７，８を形成することが好ましい。前記長尺部４の長さは、図６に示すように長い状態であれば、ヘッドスピードが遅くとも空気の導入量は得られ、音響発生具２から音声を発することができる。
【００２５】  また図７に示すように、切込部７より切り取り、長尺部４をやや短い状態とすれば、空気導入のためにやや速いヘッドスピードを求められる。さらに図８に示すように、切込部８より切り取り、一番短い状態とすれば、空気導入のために早いヘッドスピードが必要となる。そのため、年齢や体力に応じたスイングの矯正を適宜調節することもできる。
【００２６】  上述の構造により、本考案のゴルフスイング矯正具は、通常のゴルフクラブを加工することなく、容易に装着することができるとともに、スライス発生のスイングを、効率よく矯正することができる。
【符号の説明】
【００２７】１    ゴルフスイング矯正具
２    音響発生具
３    空気導入孔
４    長尺部
５    本体部
６    シャフト
７    切込部
８    切込部
１０  装着具
１１  保持部
１２  装着紐
Ａ    空気
Ｂ    音声
【図１】
0003206750.tif 000003
【図２】
0003206750.tif 000004
【図３】
0003206750.tif 000005
【図４】
0003206750.tif 000006
【図５】
0003206750.tif 000007
【図６】
0003206750.tif 000008
【図７】
0003206750.tif 000009
【図８】
0003206750.tif 000010